(57)【特許請求の範囲】
【請求項１】
上方に突出する平坦な上面部を有する突出部、前記上面部より下がった位置でかつ前記突出部の両側に形成された背面部、これら背面部から折り曲げられて略ハの字状に設けられた一対の傾斜面部とから形成され、前記両背面部のそれぞれに長手方向に沿って空調用スリットが複数設けられるとともに、長手方向の両端開口に端板がそれぞれ取付けられて下面を開口した器具本体と；
前記背面部の長手方向両端側に配置されたランプソケットと；
このランプソケットの間に着脱自在に取付けられて前記空調用スリットの真下に位置してこのスリットを下方から覆った二本の直管型ランプと；
これらランプ間に位置して前記器具本体に取付けられたＶ字形反射板と；
平板状に形成されていて、前記突出部の上面部に固定されるとともに、この突出部の両側に張り出して前記背面部を上方から覆う平板部、および前記Ｖ字形反射板の下端と前記空調用スリットとを結ぶ直線の上向き延長線に交わるように前記平板部の両側から下方に向けて曲げられた曲げ部を有する補助反射板と；
を具備することを特徴とする照明器具。
【発明の詳細な説明】
【０００１】
【発明の属する技術分野】
本発明は、空調用スリットを有する照明器具の構造に関する。
【０００２】
【従来の技術】
従来の空調用スリットを有する照明器具について、図６〜図１０を参照して説明する。
【０００３】
空調用スリットを有する照明器具は、図６（Ａ）に示すように、両端に略矩形状をした端板１，１が取付けられる下面開口し断面形状が略矩形状をなす器具本体４と、この器具本体内に取付けられる反射板１０と、この反射板１０の側方下面を覆って両側に取付けられる一対の補助反射板２０，２０と、前記反射板の両側両端に対向して並列に取付けられるランプソケット３０，３０と、これらランプソケット間に着脱自在に取付けられる直管形蛍光ランプ３２，３２（以下「ランプ」という）とから構成している。
【０００４】
さらに、器具本体４の背面部５の両側には、図６（Ｂ）に示すように、長手方向に沿って空調用スリット６が複数個穿設されているとともに、器具本体の背面部裏面側には、ランプを安定点灯させる安定器３３と、電源線などが挿入接続される端子台３４とが図示しないねじで固定されている。
【０００５】
前記反射板１０は、図７および図８に示すように、長手方向両側に下方に向けて略ハの字形に折曲げられた一対の傾斜反射板１１，１１と、長手方向中央に沿ってＶ字形に折曲げられたＶ字形反射板１２と、前記Ｖ字形反射板１２と傾斜反射板１１の上端を連結形成し両端にランプソケットが挿入可能な切欠き凹部１４，１４を有する上面反射板１３，１３とから形成されている。
【０００６】
さらに、前記傾斜反射板１１の中央長手方向に沿って空調用スリット１５が複数個穿設している。また、これら傾斜反射板１１の下方端には、内側に向けて略直角に折曲げられ複数のねじ挿入孔１８を有する補助反射板取付片１７，１７が設けられている。
【０００７】
反射板の傾斜反射板１１の内面側には、当該傾斜反射板に穿設した空調用スリット１５が器具の下方から見えるのを防ぐために、この傾斜反射板１１の内面側に所定間隔離間して略平行に補助反射板２０が配置されている。
【０００８】
補助反射板２０の上部上面には、下方端から上方に向けて立設された立上り片２４に前記反射板の補助反射板取付片１７に穿設したねじ挿入孔１８と対向した位置にタッピング孔２５を穿設したＬ字形の連結板２３が電気スポット溶接で溶着されている。
【０００９】
つぎに、従来の空調用スリットを有する照明器具の組立て方法を説明する。
【００１０】
予め、反射板１０の両側に補助反射板２０，２０を図８に示すよう、反射板の補助反射板取付片１７の上面に補助反射板２０の連結板２３の下面を重ね合せ、タッピングねじ２６で補助反射板を反射板に固定する。当該補助反射板２０，２０を反射板１０に固定した状態では、反射板の傾斜反射板１１の下面と補助反射板２０の上面とは略平行状態に組み立てられ、傾斜反射板１１と補助反射板２０との間は隙間を形成している。
【００１１】
つぎに、図９に示すように、器具本体４の両端に両側にランプソケット挿入凹部（図示せず）を有するランプソケット取付金具４０（以下「ＬＳ金具」という）をねじ４１で螺着・固定する。それから、ＬＳ金具４０のランプソケット挿入凹部にランプソケット３０を嵌入し固定する。さらに、器具本体４の背面部５裏面側に安定器３３と端子台３４をねじ（図示せず）で螺着・固定する。
【００１２】
それから、図１０に示すように、補助反射板２０，２０を両側に取付けた反射板１０をツマミラッチ４３でＬＳ金具４０に固着したのち、ランプソケット３０，３０間にランプ３２を着脱自在に取付けることにより、空調用スリットを有する照明器具の組立てを完了する。
【００１３】
従来の空調用スリットを有する照明器具の空気の流れを図９を参照して説明する。
【００１４】
ランプ３２で暖められた空気は、矢印で示すように、補助反射板２０と反射板の傾斜反射板１１との間を通り、傾斜反射板１１に穿設した空調用スリット１５を通って上昇し、器具本体の背面部５に穿設された空調用スリット６を通って器具本体の外にでる。
【００１５】
【発明が解決しようとする課題】
上記のように従来の空調用スリットを有する照明器具は、空調用スリット６を有する器具本体４内に取付けられた反射板１０の両側に穿設した空調用スリット１５が、器具の下方から見えないように、補助反射板２０を空調用スリット１５を穿設した反射板１０の下方に取付けて二重構造にし、空気の流れを確保している。
【００１６】
このため、照明器具の構造が複雑になるとともに、重くなるという問題があった。
【００１７】
本発明は上記の点に鑑みてなされたもので、構造が簡素で、且つ、軽量な空調用スリットを有する照明器具を提供することを課題とする。
【００１８】
【課題を解決するための手段】
前記課題を達成するために、請求項１記載に係る本発明の照明器具は、上方に突出する平坦な上面部を有する突出部、前記上面部より下がった位置でかつ前記突出部の両側に形成された背面部、これら背面部から折り曲げられて略ハの字状に設けられた一対の傾斜面部とから形成され、前記両背面部のそれぞれに長手方向に沿って空調用スリットが複数設けられるとともに、長手方向の両端開口に端板がそれぞれ取付けられて下面を開口した器具本体と；前記背面部の長手方向両端側に配置されたランプソケットと；このランプソケットの間に着脱自在に取付けられて前記空調用スリットの真下に位置してこのスリットを下方から覆った二本の直管型ランプと；これらランプ間に位置して前記器具本体に取付けられたＶ字形反射板と；平板状に形成されていて、前記突出部の上面部に固定されるとともに、この突出部の両側に張り出して前記背面部を上方から覆う平板部、および前記Ｖ字形反射板の下端と前記空調用スリットとを結ぶ直線の上向き延長線に交わるように前記平板部の両側から下方に向けて曲げられた曲げ部を有する補助反射板と；を具備することを特徴とするものである。
【００２１】
上記の構成において、ランプの真上の器具本体の背面部に空調用スリットを設けるとともに、前記器具本体の背面部から上方に離間して補助反射板を取付けたので、空調用スリットを有する照明器具の簡素化および軽量化を図ることができる。さらに、補助反射板を空調用スリットを設けた器具本体の背面部上方に設けたので、空調用スリットから天井裏が見えなくするという作用がある。
【００２２】
【発明の実施の形態】
以下、本発明の実施の形態に係る空調用スリットを有する照明器具を図１〜図５を参照して説明する。なお、従来技術と同一構成部品は同一番号を付して説明する。
【００２３】
空調用スリットを有する照明器具は、図１に示すように、両端に略台形状の端板５０，５０が取付けられた下面開口し断面形状が略台形状をした器具本体５５と、この器具本体の中央長手方向に着脱可能に取付けられるＶ字形反射板７０と、当該Ｖ字形反射板７０の両側両端に対向してランプ３２が着脱自在に取付けられるランプソケット３０，３０と、器具本体５５の上面部に取付けられる補助反射板７５とから構成している。なお、器具本体の内面は反射面を形成している。
【００２４】
前記器具本体５５は、図３に示すように、両側長手方向に沿って略ハの字に折曲げられた一対の傾斜面部５６，５６と、中央長手方向に沿って略コ字形に上方に突出形成し上面部５８が平坦面をなす突出部５７と、この突出部５７の両側に形成した背面部６０，６０とから構成し、前記突出部の両側に形成した背面部６０，６０には、長手方向に沿って空調用スリット６１が複数個穿設されるとともに、背面部６０の両端には、ランプソケット３０が嵌入する一対の切欠き凹部１４，１４が設けられている。
【００２５】
また、器具本体の背面部６０下面両側には、Ｖ字形反射板が取付けられた引掛け凹部６２，６２が対向して設けられている。
【００２６】
補助反射板７５は、図２および図３に示すように、平板状の平板部を有しており、編板部器具本体背面部６０,６０に設けた空調用スリット６１を覆うとともに、この補助反射板７５の平板部の両側に下方に向けて折曲げられた曲げ部７６，７６を有している。
【００２７】
また、Ｖ字形反射板７０の上方両側には、外方に向けて水平にそれぞれ折曲げられた一対の引掛け片７１，７１が設けられている。
【００２８】
空調用スリットを有する照明器具の組立て方法を図３〜図５を参照して説明する。
【００２９】
器具本体５５の両端に形成した切欠け凹部１４，１４にランプソケット３０，３０の取付溝（図示せず）を嵌入して、ランプソケット３０，３０を器具本体５５の両端両側に取付ける。
【００３０】
それから、器具本体５５の両端開口にそれぞれ端板５０,５０を取付けたのち、補助反射板７５の平板部を器具本体５５の突出部上面部５８にねじ８０にて固定する。また、図５に示すように、突出部５７内部には、安定器３３と端子台３４がねじ（図示せず）で取付けられている。
【００３１】
最後に、Ｖ字形反射板７０の上部を幅方向に狭めて、当該Ｖ字形反射板の引掛け片７１，７１を、器具本体の下面側に対向して設けられた引掛け凹部６２，６２に引掛け、Ｖ字形反射板７０を器具本体５５に取付ける。
【００３２】
本発明に係る空調用スリットを有する照明器具の空気の流れを図５を参照して説明する。
【００３３】
ランプ３２で暖められた空気は、矢印で示すように、器具本体の背面部６０，６０に穿設された空調用スリット６１を通って、器具本体５５の上部に出るとともに、補助反射板７５の下方両側と器具本体５５の上部両側との間に形成された隙間７８を通って器具本体の外にでる。
【００３４】
上記実施の形態に係る空調用スリットを有する照明器具の作用を図５を参照して説明する。
【００３５】
器具本体の背面部６０，６０に穿設した空調用スリット６１は、請求項１に記載したように、ランプソケット３０，３０間に着脱自在に取付けられたランプ３２の真上に設けられている。
【００３６】
このため、空調用スリット６１は、ランプ３２の背面側に位置していることから、空調用スリット６１の幅がランプ３２の径より狭い場合には、ｃないしｆ方向から照明器具を見上げた場合には、ランプ３２が邪魔になり、例えば、当該空調用スリットを有する照明器具が取付けられた天井裏は空調用スリット６１からは見えない。
【００３８】
しかし、斜め方向（ａ，ｂおよびｇ方向）から照明器具を見上げると、空調用スリット６１を通して、器具本体５５が取付けられている天井裏（図示せず）が見える可能性があるという問題がある。
【００３９】
この問題を解消するために、器具本体の背面部６０，６０に穿設した空調用スリット６１を覆う補助反射板７５を器具本体の上面部５８に取付けたので、当該補助反射板により天井裏が見えなくなるという効果がある。
【００４０】
さらに、補助反射板の平板部の両側に下方に向けて折曲げた曲げ部７６，７６を設けることにより、補助反射板の幅が狭くでき、当該補助反射板を小形化することができる。
【００４１】
本発明に係る空調用スリットを有する照明器具は、複雑な反射板の構造をなくし、簡素化及び軽量化を図ることができる。
【００４２】
なお、器具本体の背面部に穿設した空調用スリットをランプの管軸から中央側に寄せて設けることにより、空調用スリットをランプの管軸に沿って設けたものに比べて、天井裏が見えにくくなるという効果がある。
【００４３】
また、補助反射板は、器具本体の突出部上面部５８に直接ねじなどで取付けるのでなく、例えば、補助反射板と器具本体の背面部との間にコ字形の取付片を介在して、補助反射板を器具本体に取付けてもよい。
【００４４】
【発明の効果】
以上詳記したように請求項１記載の本発明によれば、ランプ上面の器具本体に当該ランプと平行にランプの真上に空調用スリットを設けるとともに、空調用スリットの上方の器具本体の上面部に補助反射板を取り付けたので、当該補助反射板及びランプにより、照明器具が取付けられた天井裏が見えなくなるという効果がある。
【００４６】
更に、請求項１記載の本発明によれば、補助反射板の平板部の両側から下方に向けて曲げ部を設けたので、補助反射板の幅を狭くでき小型化を図ることができる。
【００４７】
すなわち、請求項１記載の本発明によれば、複雑な反射板の構造をなくし、空調用スリットを有する照明器具の簡素化及び軽量化を図ることができる。
【図面の簡単な説明】
【図１】本発明の第１実施の形態に係る照明器具の全体構成を示す斜視図。
【図２】同第１実施の形態における照明器具を示すもので、（Ａ）は上面図。  （Ｂ）は側面図。
【図３】同第１実施の形態における照明器具の構成部品を示す分解斜視図。
【図４】同第１実施の形態における照明器具の構成部品を示すもので、（Ａ）は補助反射板の側面図。
（Ｂ）は器具本体の側面図。
（Ｃ）はランプソケットを装着した器具本体およびＶ字形中央反射板とを示す側面図。
【図５】同第１実施の形態における照明器具を示す側面断面図。
【図６】従来技術に係る照明器具の全体構成を示すもので、（Ａ）は斜視図。  （Ｂ）は上面図。
【図７】同上従来技術における照明器具の構成部品を示す分解斜視図。
【図８】同上従来技術における照明器具の反射板と補助反射板とを示す斜視図。
【図９】同上従来技術における照明器具を示す側面断面図。
【図１０】同上従来技術における補助反射板を両側に固定した反射板を器具本体にツマミラッチで取付ける状態を示す斜視図。
【符号の説明】
３０…ランプソケット，
３２…ランプ，
５０…端板，
５５…器具本体，
５６…器具本体の傾斜面部，
５７…器具本体の突出部，
５８…突出部の上面部，
６０…器具本体の背面部，
６１…空調用スリット，
７０…Ｖ字形反射板，
７５…補助反射板，
７６…補助反射板の曲げ部。
【図１】
0003931422.tif 000002
【図２】
0003931422.tif 000003
【図３】
0003931422.tif 000004
【図４】
0003931422.tif 000005
【図５】
0003931422.tif 000006
【図６】
0003931422.tif 000007
【図７】
0003931422.tif 000008
【図８】
0003931422.tif 000009
【図９】
0003931422.tif 000010
【図１０】
0003931422.tif 000011